(57)【要約】【課題】浴室内の人の状況を好適に把握することができる風呂給湯装置を提供する。【解決手段】浴室内における温度変化量に基づいて人の有無を検出する人感センサと、前記浴室内の浴槽に湯を注湯する湯はりを行う注湯制御部と、前記湯はりが開始された後の所定の期間、前記人感センサの検出感度を低下させる、または検出を無効にする感度制御部と、を備える。例えば、前記感度制御部は、前記浴槽に接続された配管に設けられた前記湯の流通を制御する弁が開いている期間、前記人感センサの検出感度を低下させる、または検出を無効にする。【選択図】図４
2019158207.tif 000002
【特許請求の範囲】
【請求項１】
浴室内における温度変化量に基づいて人の有無を検出する人感センサと、
前記浴室内の浴槽に湯を注湯する湯はりを行う注湯制御部と、
前記湯はりが開始された後の所定の期間、前記人感センサの検出感度を低下させる、または検出を無効にする感度制御部と、を備える風呂給湯装置。
【請求項２】
前記感度制御部は、前記湯はりの開始から湯はりの完了までの期間、前記人感センサの検出感度を低下させる、または検出を無効にする、前記請求項１記載の風呂給湯装置。
【請求項３】
前記感度制御部は、前記浴槽に接続された配管に設けられた前記湯の流通を制御する弁が開いている期間、前記人感センサの検出感度を低下させる、または検出を無効にする、請求項１記載の風呂給湯装置。
【請求項４】
前記感度制御部は、前記浴槽に接続された配管に設けられた前記湯を循環させるポンプが動作している期間、さらに前記人感センサの検出感度を低下させる、または検出を無効にする、請求項３記載の風呂給湯装置。
【請求項５】
前記感度制御部は、前記浴槽に注湯された湯量を検出する流量検出部が前記浴槽の循環口が水没するとみなせる湯量を注湯したことを検出した場合に、前記所定の期間を終了する、請求項１記載の風呂給湯装置。
【請求項６】
前記感度制御部は、前記人感センサから出力される検出値の増幅率を小さくすること、または人がいることを検出する閾値を上げることにより、前記検出感度を低下させる、請求項１から５のいずれか一項記載の風呂給湯装置。
【発明の詳細な説明】
【技術分野】
【０００１】
本発明は、風呂給湯装置に係り、特に浴室内の人の状況を把握し報知する風呂給湯装置に関する。
【背景技術】
【０００２】
従来、浴室内の入浴事故を防ぐために、風呂給湯装置に設置された各種センサにより浴槽内への人の入浴および出浴を検出する技術が知られている（例えば、特許文献１参照）。
【先行技術文献】
【特許文献】
【０００３】
【特許文献１】特開２００３−８３６０６号公報
【発明の概要】
【発明が解決しようとする課題】
【０００４】
風呂給湯装置には、自動または手動で浴槽へ湯水を注湯する機能を有しているものがある。注湯時、湯水は、浴槽と接続された配管を通り浴槽へ注湯される。
【０００５】
ここで、上記検出に温度変化量を検出することにより浴室内の人の動きを検出する人感センサを用いた場合、この人感センサは浴槽へ注湯される湯水の温度の影響を受ける恐れがある。この場合、人感センサは、注湯に伴う湯水の動きを人の動きと誤検知してしまい、使用者の使い勝手を低下させてしまう恐れがある。
【０００６】
本発明はこのような事情を考慮してなされたもので、浴室内の人の状況を好適に把握することができる風呂給湯装置を提供することを目的とする。
【課題を解決するための手段】
【０００７】
本発明に係る風呂給湯装置は、上述した課題を解決するために、浴室内における温度変化量に基づいて人の有無を検出する人感センサと、前記浴室内の浴槽に湯を注湯する湯はりを行う注湯制御部と、前記湯はりが開始された後の所定の期間、前記人感センサの検出感度を低下させる、または検出を無効にする感度制御部と、を備える。
【発明の効果】
【０００８】
本発明に係る風呂給湯装置においては、浴室内の人の状況を好適に把握することができる。
【図面の簡単な説明】
【０００９】
【図１】本実施形態における貯湯式風呂給湯装置の概略的なシステム構成図。
【図２】貯湯式風呂給湯装置の機能ブロック図。
【図３】焦電センサの詳細な構成を説明するための図。
【図４】本実施形態における給湯装置により実行される増幅率切替処理を説明するフローチャート。
【発明を実施するための形態】
【００１０】
本発明に係る給湯装置の一実施形態を添付図面に基づいて説明する。
【００１１】
図１は、本実施形態における貯湯式風呂給湯装置１の概略的なシステム構成図である。
【００１２】
図２は、貯湯式風呂給湯装置１の機能ブロック図である。
【００１３】
貯湯式風呂給湯装置（給湯装置）１は、貯湯タンクユニット３と、ヒートポンプユニット４と、風呂リモコン５と、台所リモコン１０と、を主に有している。また、給湯装置１は、浴室６内の浴槽７と、シャワー８と、カラン９と、接続されている。
【００１４】
貯湯タンクユニット３は、湯水を貯湯する貯湯タンク１１を有している。貯湯タンク１１は、貯湯タンク１１内の貯湯温度を検出する複数の貯湯温度センサ１２を側面の上下方向にわたって有している。貯湯タンク１１底部には、貯湯タンク１１に市水を供給する給水管１３が接続されている。給水管１３は、市水の給水圧を一定の圧力に減圧する減圧弁１４を有している。また、貯湯タンク１１頂部には、貯湯タンク１１内の過圧を逃す過圧逃し弁１６が接続されている。
【００１５】
貯湯タンク１１頂部には、貯湯タンク１１から出湯する出湯管１８が接続されている。出湯管１８は、給水管１３から分岐された給水バイパス管２０と給湯混合弁１９を介して接続されている。給水バイパス管２０は、給水温度を検出する給水温度センサ２５を有している。
【００１６】
給湯混合弁１９は、給水バイパス管２０からの湯水と出湯管１８からの湯水とを給湯設定温度になるよう混合する。給湯混合弁１９は、給湯管２４と接続されており、給湯混合弁１９で混合された湯水は給湯管２４によりシャワー８およびカラン９へ導かれる。給湯管２４は、給湯流量センサ２６と、給湯温度センサ２７と、流量調整弁２８と、を有している。給湯流量センサ２６および給湯温度センサ２７は、給湯管２４を流れる湯水の流量および温度をそれぞれ検出する。流量調整弁２８は、開度を調整することにより給湯管２４を流れる湯水の流量を調整（制限）する。
【００１７】
給湯管２４は、湯水を風呂循環回路４０へ供給する湯はり管３２と接続されている。湯はり管３２は、湯はり流量センサ３３と、湯はり温度センサ３４と、湯はり開閉弁３５と、を有している。湯はり流量センサ３３および湯はり温度センサ３４は、湯はり管３２から供給される湯水の流量および温度をそれぞれ検出する。湯はり開閉弁３５は、湯はり管３２を開閉し湯の流通を制御する電磁弁である。
【００１８】
貯湯タンクユニット３は、浴槽７の湯水（浴水）を浴槽７に設けられた循環口７ａと風呂熱交換器４１との間で循環させる風呂循環回路４０を有している。風呂循環回路４０は、戻り管４２と、風呂熱交換器４１と、往き管４３とを主に有している。戻り管４２および往き管４３は、浴槽７の循環口７ａに接続され浴槽７からの湯水を流通させる。戻り管４２は、浴水を風呂熱交換器４１へ戻す。風呂熱交換器４１は、貯湯タンク１１内上部に設けられ、貯湯タンク１１内の湯の熱で浴水を加熱する。往き管４３は、風呂熱交換器４１で加熱された湯水を浴槽７側へ供給する。
【００１９】
風呂循環回路４０は、風呂三方弁４５を介して戻り管４２と往き管４３とをバイパスする熱交バイパス管４６を有している。風呂三方弁４５は、戻り管４２からの湯水を風呂熱交換器４１に流通させるか、往き管４３にバイパスさせるかを切り替える。
【００２０】
また、戻り管４２は、水位センサ４８と、風呂温度センサ４９と、風呂循環ポンプ５０と、を有している。水位センサ４８は、浴槽７からの圧力を検出することにより浴槽７内の水位を検出する。風呂温度センサ４９は、循環する湯水の温度を検出する。風呂循環ポンプ５０は、風呂循環回路４０に湯水を循環させる。往き管４３は、風呂循環回路４０の湯水の循環（流通）の有無を検出する流水スイッチ５１を有している。
【００２１】
貯湯タンクユニット３は、貯湯タンクユニット３の各部を電気的に制御する貯湯制御部５５を有している。貯湯制御部５５は、ＭＰＵなどの論理回路を有し、メモリを参照しつつ予め記憶されているプログラムに従って貯湯タンクユニット３の各部を制御する。すなわち、貯湯制御部５５は、貯湯温度センサ１２、給水温度センサ２５、給湯流量センサ２６、給湯温度センサ２７、湯はり流量センサ３３、湯はり温度センサ３４、水位センサ４８、風呂温度センサ４９、および流水スイッチ５１の検出値を取得し、この検出値に基づいて貯湯タンクユニット３の各種弁などの作動を制御する。本実施形態においては、貯湯制御部５５は、浴室６内の浴槽７に（予め設定された設定水位になるよう）湯を注湯する湯はりを行う注湯制御部として機能する。また、貯湯制御部５５は、湯はりが開始された後の所定の期間、人感センサの検出感度を低下させる、または検出を無効にする感度制御部として機能する。
【００２２】
また、貯湯制御部５５は、風呂リモコン５および台所リモコン１０を介してユーザの指示を受け付け、各部を制御し指示を実行する。すなわち、貯湯制御部５５は、風呂リモコン５および台所リモコン１０で指示された給湯設定温度や、風呂設定温度、設定湯量などに基づいて給湯運転、風呂自動運転、風呂追だき運転などを実行する。貯湯制御部５５は、経過時間をカウントする（カウントアップする）タイマを有している。
【００２３】
貯湯タンクユニット３は、加熱往き管６５および加熱戻り管６６を介して、ヒートポンプユニット４と接続されている。ヒートポンプユニット４は、貯湯タンク１１内の湯水を主に深夜時間帯に沸き上げる。ヒートポンプユニット４は、加熱往き管６５と、加熱戻り管６６と、冷媒回路６１と、加熱制御部６２と、外気温度センサ６３と、を有している。
【００２４】
加熱往き管６５は、加熱循環ポンプ６４と、入水温度センサ６９と、を有している。加熱循環ポンプ６４は、貯湯タンク１１底部から取り出した湯水を冷媒回路６１内で循環させる。入水温度センサ６９は、加熱往き管６５から冷媒水熱交換器６８に流入する湯水の温度を検出する。加熱戻り管６６は、ヒートポンプユニット４で加熱された湯水を貯湯タンク１１上部へ戻す。加熱戻り管６６は、冷媒水熱交換器６８から流出する湯水の温度を検出する沸き上げ温度センサ７０を有している。
【００２５】
冷媒回路６１は、圧縮機７１、冷媒水熱交換器６８、膨張弁７２、および蒸発器７３が冷媒サイクル配管７４で環状に接続された回路である。圧縮機７１は、冷媒を圧縮し高温冷媒とする。冷媒水熱交換器６８は、高温冷媒と貯湯タンク１１からの湯水とを熱交換する。膨張弁７２は、冷媒水熱交換器６８で放熱された冷媒を減圧し、低温低圧の冷媒とする。蒸発器７３は、低温低圧の冷媒を蒸発させる。また、蒸発器７３には、送風機７５により熱源となる外気が送風される。
【００２６】
外気温度センサ６３は、ヒートポンプユニット４が設置されている屋外の外気温度を検出する。加熱制御部６２は、ＭＰＵなどの論理回路を有し、メモリを参照しつつ予め記憶されているプログラムに従ってヒートポンプユニット４の各部を電気的に制御する。すなわち、加熱制御部６２は、入水温度センサ６９、沸き上げ温度センサ７０、および外気温度センサ６３の検出値を取得し、冷媒回路６１などの動作を制御する。
【００２７】
浴室６には、浴槽７、シャワー８、カラン９、および風呂リモコン５が設けられている。風呂リモコン５は、表示部９１と、スピーカ９２（図２）と、スイッチ類９３と、通話部９４（図２）と、焦電センサ９８と、風呂リモコン制御部９７と、を有している。
【００２８】
表示部９１は、給湯装置１に関する各種の情報（給湯設定温度、風呂設定温度、風呂設定湯量、残湯量、給湯装置１の動作状態など）を表示する。
【００２９】
スイッチ類９３は、設定スイッチ、風呂自動運転スイッチ、追いだきスイッチ、たし湯スイッチ、およびメニュースイッチなどを有する。
【００３０】
設定スイッチは、給湯設定温度、風呂設定温度および風呂設定湯量を設定する指示を受け付ける。風呂自動運転スイッチは、風呂自動運転を開始または停止する指示を受け付ける。追いだきスイッチは、追いだき運転を開始または停止する指示を受け付ける。たし湯スイッチは、たし湯運転を開始または停止する指示を受け付ける。メニュースイッチは、給湯装置１の詳細な設定を行う階層構造のメニュー設定画面を呼び出す。
【００３１】
なお、風呂自動運転は、風呂設定温度および設定湯量（設定水位）に基づいて浴槽７内の湯を設定水位および設定温度になるよう自動で湯を注湯（および追いだき）する湯はりし、湯はり完了後は設定水位および設定温度を維持するよう保温時間が経過するまで自動で保温する自動保温運転することを意味する。追いだき運転は、浴槽７内の湯を風呂熱交換器４１との間で循環させて加熱することを意味する。たし湯運転は、浴槽７に設定量の湯または水を注湯（注水）することを意味する。各運転は、貯湯制御部５５の制御に基づいて実行される。
【００３２】
通話部９４（インターホン）は、台所リモコン１０と通信し、浴室６内の人と台所内の人との間で通話を行わせる。
【００３３】
焦電センサ９８は、検出エリア内の熱源の温度変化量を検出することにより、浴室６における人の有無を検出する。具体的には、焦電センサ９８は、人が移動したときや手足などを動かすことによる検出エリアの温度変化を検出することにより、浴室６内に人がいるか否か（動いているかどうか）を検出する。本実施形態においては、焦電センサ９８は、浴室６内における温度変化量に基づいて人の有無を検出する人感センサとして機能する。
【００３４】
ここで、図３は、焦電センサ９８の詳細な構成を説明するための図である。
【００３５】
焦電センサ９８は、第１増幅回路９８ａまたは第２増幅回路９８ｂを介して検出値を貯湯制御部５５に出力している。第１増幅回路９８ａおよび第２増幅回路９８ｂは、焦電センサ９８から出力される検出値を増幅する。第１増幅回路９８ａは、第２増幅回路９８ｂよりも増幅率が小さい。このため、第１増幅回路９８ａを介して出力された検出値は、第２増幅回路９８ｂを介して出力された検出値よりも小さくなり、第２増幅回路９８ｂを介して出力された場合に閾値を超える値であっても、閾値を超えなくなる場合がある。この結果、焦電センサ９８の感度が下がることになる。貯湯制御部５５は、スイッチ９８ｃにより第１増幅回路９８ａおよび第２増幅回路９８ｂを切り替えることにより、検出値の増幅率を制御している。具体的には、貯湯制御部５５は、通常時第２増幅回路９８ｂ側にスイッチ９８ｃを切り替え、検出感度を下げたい場合に第１増幅回路９８ａ側に切り替えるようになっている。
【００３６】
風呂リモコン制御部９７は、ＭＰＵなどの論理回路を有し、メモリを参照しつつ予め記憶されているプログラムに従って風呂リモコン５の各部を電気的に制御する。例えば、風呂リモコン制御部９７は、スイッチ類９３の指示信号や貯湯制御部５５からの信号を受け、表示部９１に予め定められた必要な情報を表示させる。
【００３７】
シャワー８およびカラン９は、浴室６内や、浴室６外の台所や洗面所などに設けられる。給湯管２４は、流量調整弁２８の下流側で分岐しており、浴室６に設けられたシャワー８およびカラン９と、浴室６外の各所のシャワー８およびカラン９へ並列に給湯している。
【００３８】
台所リモコン１０は、浴室以外の箇所、例えば台所に設置されたリモコンである。台所リモコン１０は、風呂リモコン５とほぼ同様の機能を有する、表示部１０１と、スピーカ１０２（図２）と、スイッチ類１０３と、通話部１０４（図２）と、台所リモコン制御部１０７と、を有している。台所リモコン制御部１０７は、ＭＰＵなどの論理回路を有し、メモリを参照しつつ予め記憶されているプログラムに従って台所リモコン１０の各部を電気的に制御する。例えば、台所リモコン制御部１０７は、スイッチ類１０３の指示信号や貯湯制御部５５からの信号を受け、表示部１０１に予め定められた必要な情報を表示させる。
【００３９】
上述した貯湯制御部５５、加熱制御部６２、風呂リモコン制御部９７および台所リモコン制御部１０７は、互いに必要な情報を送受信可能に接続されている。
【００４０】
本実施形態における給湯装置１は、浴室６内の人の状況を把握し、浴室６内の人および同居者などの浴室６外の人にその旨を報知する報知機能を有している。具体的には、給湯装置１は、浴槽７への入浴から出浴までの時間を監視し、予め設定された報知時間を経過しても出浴が検出されない場合に入浴者および浴室６外の人に報知する。このような報知機能を実現するため、給湯装置１は、焦電センサ９８により人の浴室６への入室および退室を検出し、水位センサ４８により人の浴槽７への入浴および出浴を検出する。
【００４１】
しかし、焦電センサ９８は、浴室６内の熱源の温度変化量を検出することにより、浴室６における人の有無を検出する。すなわち、焦電センサ９８は、熱源である人の動作に基づく温度変化に基づいて、人の有無を検出する。このため、浴室６内に人以外の動く熱源が存在する場合には、焦電センサ９８は人以外の熱源の温度変化を検出し、浴室６内に人がいると誤検知してしまう。具体的には、浴槽７に湯が張られていない状態や、浴槽７に低温の湯水が張られている状態で、浴槽７に高温の湯が注湯された場合に、焦電センサ９８は人がいると誤検知する恐れがある。この場合、上述した報知機能が適切に動作せず、必要な入浴者の状況の報知が行われない恐れがある。
【００４２】
これに対し、本実施形態における給湯装置１は、焦電センサ９８の誤検知が発生しないように、浴室６内の状況に応じて焦電センサ９８の検出感度を制御している。具体的には、風呂自動運転（湯はり）の開始から湯はりが完了するまでの間（湯はりが開始された後の所定の期間）、注湯された湯水を人として誤検知しないよう、焦電センサ９８の検出感度を低下させる。以下、フローチャートを用いて説明する。
【００４３】
図４は、本実施形態における給湯装置１により実行される増幅率切替処理を説明するフローチャートである。なお、本処理開始時には、スイッチ９８ｃは、第２増幅回路９８ｂ側に切り替えられているものとして説明する。
【００４４】
ステップＳ１において、貯湯制御部５５は、風呂自動運転が開始されたか否かを判定する。風呂自動運転は、例えば、風呂リモコン５または台所リモコン１０の風呂自動運転スイッチ（スイッチ類９３、１０３）を介して風呂自動運転を開始する指示を受け付けた場合に、開始される。貯湯制御部５５は、風呂自動運転が開始されていないと判定した場合（ステップＳ１のＮｏ）、風呂自動運転が開始されるまで待機する。
【００４５】
貯湯制御部５５は、風呂自動運転が開始されたと判定した場合（ステップＳ１のＹｅｓ）、ステップＳ２において、スイッチ９８ｃを第１増幅回路９８ａに切り替える。これにより、焦電センサ９８は、増幅率が小さくなり、検出感度が下がる。風呂自動運転開始直後は、人が入室し浴室６で体を洗ったり、入浴したりする可能性が低い。このため、増幅率（検出感度）は、人が入室（退室）したことなどの人の大きな動作（例えば浴室６内を歩いて移動する動き）を検出可能とする値に設定されている。その一方、増幅率は、人がイスに座って体を洗う動作や、入浴している際の動作などの小さな動作を検出しない値に設定されている。このため、貯湯制御部５５は、入室や退室などの大きな動作のみを検出し、注湯される湯水を誤検知しない。
【００４６】
ステップＳ３において、貯湯制御部５５は、風呂循環ポンプ５０のための呼水を行う。すなわち、貯湯制御部５５は、湯はり開閉弁３５を開き、風呂循環回路４０に湯水を流通させる。ステップＳ４において、貯湯制御部５５は、浴槽７の残湯を確認する。すなわち、貯湯制御部５５は、流水スイッチ５１の検出結果に基づく風呂循環回路４０の湯水の循環の有無に基づいて、残湯を確認する。
【００４７】
ステップＳ５において、貯湯制御部５５は、風呂設定温度および設定湯量に基づいて浴槽７の湯が設定水位および設定温度になるよう注湯（湯はり）する。このとき、残湯確認ステップＳ４で残湯が確認された場合、残湯量を考慮して注湯する。ステップＳ６において、貯湯制御部５５は、注湯開始ステップＳ５において決定された湯量の注湯を終了する。
【００４８】
ステップＳ７において、貯湯制御部５５は、水位センサ４８が検出した浴槽７内の水位を取得する。ステップＳ８において、貯湯制御部５５は、浴槽７内の湯が設定水位に到達したか否かを判定する。貯湯制御部５５は設定水位に到達していないと判定した場合（ステップＳ８のＮｏ）、注湯開始ステップＳ５に戻り、設定水位に到達するまで注湯開始ステップＳ５から水位判定ステップＳ８を繰り返す。一方、貯湯制御部５５は設定水位に到達したと判定した場合（ステップＳ８のＹｅｓ）、ステップＳ９において湯はりを完了する。
【００４９】
ステップＳ１０において、貯湯制御部５５は、スイッチ９８ｃを第２増幅回路９８ｂに切り替える。これにより、焦電センサ９８は、第１増幅回路９８ａ側に切り替えられていた期間よりも検出感度が上がる（通常の検出感度になる）。これにより、貯湯制御部５５は、入室から退室までに想定される小さな動作を検出可能になる。ステップＳ１１において、貯湯制御部５５は、設定水位および温度を維持するよう、自動保温運転を行う。なお、自動保温運転は、所定時間経過または風呂自動運転を終了する指示を受け付けることにより終了する。処理はステップＳ１に戻り、以降の処理が繰り返される。
【００５０】
これにより、給湯装置１は、人が入室している可能性の低い状況下で、焦電センサ９８が注湯中の湯を、人が浴室６に入室後から退室までに行うことが想定される小さな動作として誤検知することを低減することができる。特に、給湯装置１は、湯が張られておらず、冷えた浴槽７に高温の湯が注湯される湯はり時に誤検知が発生しやすいタイミングで増幅率切替処理を実行することにより、好適に誤検知を抑制することができる。ゆえに、給湯装置１は、浴室６内の人の状況を好適に把握することができ、使用者の報知機能の使い勝手を向上させることができる。
【００５１】
なお、図４においては、貯湯制御部５５は、人以外の熱源による温度変化が発生する状況（湯はりが開始された後の所定の期間）を、風呂自動運転（湯はり）が開始されてから湯はりが完了するまでとして、この期間にスイッチ９８ｃを第１増幅回路９８ａ側に切り替えた。しかし、特に温度変化が大きい、湯の流通を制御する湯はり開閉弁３５が開いている期間に、貯湯制御部５５はスイッチ９８ｃを第１増幅回路９８ａ側に切り替えてもよい。すなわち、貯湯制御部５５は、注湯開始ステップＳ５が開始された後または開始の直前に切替ステップＳ２を実行し検出感度を下げ、注湯終了ステップＳ６の終了後、切替ステップＳ１０を実行し検出感度を上げてもよい。
【００５２】
また、風呂自動運転開始ステップＳ１から湯はり完了ステップＳ９までの間、風呂循環ポンプ５０が動作する場合、湯はり開閉弁３５が開いている期間に加え、湯を循環させる風呂循環ポンプ５０が動作している期間に、貯湯制御部５５はスイッチ９８ｃを第１増幅回路９８ａ側に切り替えてもよい。湯はり開閉弁３５が開いている期間と同様、温度変化が大きい期間であると考えられるためである。なお、風呂循環ポンプ５０が動作する場合は、呼水ステップＳ３が実行されている間である。また、水位判定ステップＳ８において浴槽７の湯を設定温度にするために、注湯された湯（浴槽７内の湯）を追いだきする場合には、追いだきが実行されている間である。
【００５３】
さらに、風呂自動運転開始ステップＳ１から湯はり完了ステップＳ９までの間、湯はり開閉弁３５が開いている期間に加え、流通検出部としての流水スイッチ５１が湯水の流通があることを検出している期間に、貯湯制御部５５はスイッチ９８ｃを第１増幅回路９８ａ側に切り替えてもよい。湯はり開閉弁３５が開いている期間と同様、温度変化が大きい期間であると考えられるためである。
【００５４】
また、浴槽７に注湯された湯量を検出する流量検出部としての湯はり流量センサ３３が浴槽７の循環口７ａが水没するとみなせる湯量を注湯したことを検出した場合を、第２増幅回路９８ｂ側に切り替える（戻す）タイミング（ステップＳ１０）、すなわち所定の期間の終了のタイミングとしてもよい。このときの、所定の期間の開始のタイミングは、風呂自動運転開始ステップＳ１や、注湯開始ステップＳ５を用いることができる。
【００５５】
また、貯湯制御部５５は、風呂自動運転以外の注湯運転（設定量および設定温度の湯を単に注湯する運転、使用者がカラン９から手動で注湯する場合など）が実行されている期間に、スイッチ９８ｃを第１増幅回路９８ａ側に切り替えてもよい。例えば、使用者がカラン９から手動で注湯する場合に増幅率切替処理を実行する場合において、スイッチ類９３は、カラン９からの注湯量が湯はりの完了に相当する所定の湯量に達したことを、風呂リモコン５または台所リモコン１０で報知する指示を受け付けるスイッチを有している。貯湯制御部５５は、この指示を受け付けたこと、または指示を受け付けた後に給湯流量センサ２６が給湯が開始されたことを検出したことを、所定の期間の開始のタイミングとしてもよい。また、貯湯制御部５５は、指示を受け付けた後のカラン９からの湯水は全て浴槽７に注湯されているとみなして、注湯量が湯はりの完了に相当する所定の湯量に達したことを給湯流量センサ２６が検出したことを、所定の期間の終了のタイミングとしてもよい。
【００５６】
また、焦電センサ９８の検出感度は、必要に応じて３以上の増幅回路間で切り替えてもよいし、検出値を増幅回路を介して出力する場合と、増幅回路を介して出力しない場合とで切り替えてもよい。さらに、焦電センサ９８の検出感度は、人がいることを検出する温度変化量の閾値を上げることにより低下させてもよい。また、検出感度を低下させるのみならず、検出自体を無効にしてもよい。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５８】
図４の増幅率切替処理を実行する給湯装置は、上述した報知機能を実行する給湯装置１のみならず、浴室内における温度変化量に基づいて人の有無を検出する人感センサを有する給湯装置全般に適用することができる。
【００５９】
水位センサ４８を一例として説明した入出浴センサは、浴槽７下部に配置された重量センサ、画像処理により浴室６内の人の有無を検知するＣＣＤイメージセンサ、エリアセンサ、サーモグラフィなどであってもよい。
【００６０】
台所リモコン１０を一例として説明した浴室外のリモコンは、リビングなどの台所以外の箇所に設置されたリモコンであってもよい。
【００６１】
また、給湯装置１は、ヒートポンプユニット４に代えて、貯湯タンク１１に電熱ヒータ式の加熱手段を有したり、ガスバーナや石油バーナで加熱する瞬間式熱交換器（風呂熱交換器）を有したり、コージェネレーションシステムの廃熱回収装置を有してもよい。
【符号の説明】
【００６２】
１  貯湯式風呂給湯装置（給湯装置）
３  貯湯タンクユニット
４  ヒートポンプユニット
５  風呂リモコン
６  浴室
７  浴槽
１０  台所リモコン
４８  水位センサ
５５  貯湯制御部
９１、１０１  表示部
９２、１０２  スピーカ
９３、１０３  スイッチ類
９４、１０４  通話部
９７  風呂リモコン制御部
９８  焦電センサ
１０７  台所リモコン制御部
【図１】
2019158207.tif 000003
【図２】
2019158207.tif 000004
【図３】
2019158207.tif 000005
【図４】
2019158207.tif 000006